(57)【要約】【課題】出入口のドアを開放することなく建物内空間の換気を行うことができる好適な構成を実現する。【解決手段】集合住宅１０において住戸２０の玄関２４には玄関出入口２７が設けられている。玄関出入口２７はドア枠体により形成されており、ドア枠体は外壁２５に対して取り付けられている。外壁２５においてドア枠体の側方にはルーバ装置が設けられている。ルーバ装置はルーバ枠体とルーバスラットとを有しており、ルーバ枠体により玄関通気口４０が形成されている。この場合、玄関通気口４０は玄関ドア３１の周辺に設けられていることになる。ルーバスラットは水平方向に延びる細長部材であり、ルーバ装置において上下に複数並べて配置されている。各ルーバスラットは軸線が水平方向に延びる状態で回動可能に軸支されており、回動することで開放状態と閉鎖状態とに移行する。【選択図】図１
2011089317.tif 000002
【特許請求の範囲】
【請求項１】
外壁に形成された出入口に開閉可能なドアが設けられている建物に適用され、
前記ドア又は同ドア周辺に設けられ且つ建物内空間に通じている通気口に、該通気口を閉鎖する閉鎖状態と開放する開放状態とに移行する複数のスラットが設けられていることを特徴とする建物の通気調整装置。
【請求項２】
前記通気口は前記ドア又はドア側方において上下方向に延びる長手状に形成され、
前記複数のスラットは一部のスラットが開放された部分開放形態となることが可能であることを特徴とする請求項１に記載の建物の通気調整装置。
【請求項３】
前記複数のスラットは、前記部分開放形態に加えて、全てのスラットが開放された全開放形態になることが可能であり、
前記全開放形態と前記部分開放形態とへの形態切り替えを行う制御手段が備えられていることを特徴とする請求項２に記載の建物の通気調整装置。
【請求項４】
前記通気口は、前記ドアの回動先端側の縁部に沿ってドア上端部からドア下端部に延びるように前記ドア又は同ドア周辺に設けられており、
前記制御手段は、前記複数のスラットを前記部分開放形態に切り替える場合に、前記ドアの回動先端側に設けられた施錠装置付近に位置する第１スラット群と、該第１スラット群の上方及び下方に位置する第２スラット群とのうち、前記第１スラット群を閉鎖状態にすることを特徴とする請求項３に記載の建物の通気調整装置。
【請求項５】
前記出入口の屋外側周辺に人がいるか否かを判定する手段を備え、
前記制御手段は、前記出入口の屋外側周辺に人がいると判定された場合に、前記複数のスラットを前記部分開放形態に切り替えることを特徴とする請求項４に記載の建物の通気調整装置。
【請求項６】
前記ドアの屋内側には、前記ドアを開放可能とする非施錠状態と前記ドアを開放不可とする施錠状態とのいずれかに切り替え操作されるドアガードが設けられており、
前記ドアガードが施錠状態及び非施錠状態のいずれであるかを判定する手段を備え、
前記制御手段は、前記ドアガードが非施錠状態にあると判定された場合に前記第１スラット群を閉鎖状態とすることを特徴とする請求項４又は５に記載の建物の通気調整装置。
【請求項７】
前記通気口には、前記複数のスラットの屋内側において前記通気口を閉鎖する閉鎖部材が設けられており、
前記閉鎖部材は、前記スラットに対して屋内側に離反する方向に変位可能であり、且つ変位量が変位規制手段により規制されていることを特徴とする請求項１乃至６のいずれか１項に記載の建物の通気調整装置。
【請求項８】
前記ドア又は同ドア周辺には、前記通気口として、居住空間に通じている第１通気部と、前記出入口の屋内側に形成された出入口ホールに設置され且つ物品の収納が可能な収納庫に通じている第２通気部とが設けられており、
前記複数のスラットは前記第１通気部及び前記第２通気部にそれぞれ設けられていることを特徴とする請求項１乃至７のいずれか１項に記載の建物の通気調整装置。
【請求項９】
昇降することにより前記通気口を開閉するシャッタカーテンが、前記複数のスラットが並べられて形成されていることを特徴とする請求項１乃至８のいずれか１項に記載の建物の通気調整装置。
【請求項１０】
請求項１乃至９のいずれかに記載の通気調整装置を備えている建物であって、
前記通気口が建物内空間を挟んで窓部とは反対側の外壁に形成されていることを特徴とする建物。
【請求項１１】
請求項１乃至９のいずれかに記載の通気調整装置を備えており、且つ複数の住戸が横並びに設けられている集合住宅であって、
前記通気口は、前記住戸に前記出入口として形成された玄関出入口又はその周辺に形成されていることを特徴とする集合住宅。
【発明の詳細な説明】
【技術分野】
【０００１】
本発明は、通気調整装置、それを備えた建物及び集合住宅に関するものである。
【背景技術】
【０００２】
住宅等の建物において、玄関等の出入口又はその周辺において通気を行う技術が提案されている。例えば特許文献１には、通気用の貫通孔が複数形成された換気パネルが玄関扉に設けられている構成が記載されている。この構成では、玄関扉において換気パネルの部分が通気部となっており、その通気部を開閉する小扉が玄関扉に取り付けられている。この場合、玄関扉を開放しなくても小扉を開放することにより玄関扉の通気部にて通気が行われる。つまり、玄関出入口からの不審者の侵入を規制しつつ建物内空間の換気が行われる。しかも、通気部が換気パネルにより形成されているため、小扉が開放されていても不審者が通気部から侵入したり手などを差し込んだりすることが規制される。
【先行技術文献】
【特許文献】
【０００３】
【特許文献１】特開２００８−１３８４７６号公報
【発明の概要】
【発明が解決しようとする課題】
【０００４】
しかしながら、上記特許文献１に記載された構成では、小扉が設けられていないと通気部を通じての通気を停止させることができず、換気パネルが設けられていないと小扉を開放した場合に通気部における防犯性能が低下してしまう。この場合、通気部を開閉しつつ防犯性能の低下を抑制するには小扉及び換気パネルという別々の部材が通気部に対して取り付けられている必要がある。したがって、出入口又はその出入口周辺において、玄関扉などのドアを開放させることなく通気を行う構成に関して改善の余地がある。
【０００５】
本発明は、出入口のドアを開放することなく建物内空間の換気を行うことができる好適な構成を実現することを主たる目的とする。
【課題を解決するための手段】
【０００６】
上記課題を解決するために、第１の発明は、外壁に形成された出入口に開閉可能なドアが設けられている建物に適用され、前記ドア又は同ドア周辺に設けられ且つ建物内空間に通じている通気口に、該通気口を閉鎖する閉鎖状態と開放する開放状態とに移行する複数のスラットが設けられていることを特徴とする。
【０００７】
第１の発明によれば、出入口のドアを開放させなくても、ドア又はドア周辺に設けられた通気口により建物内空間の換気が行われる構成において、スラットにより通気口が開閉される。スラットが閉鎖状態とされることで通気口における通気が停止され、スラットが開放状態とされることで通気口における通気が行われる。しかも、通気が行われている場合、通気口は複数のスラットにより細分化された状態となっており、不審者が通気口から侵入することや手などを差し込むことが規制されている。この場合、通気口を開閉する機能と開放された通気口の防犯性能を高める機能という２つの機能を別々の部材ではなくスラットが有していることになる。つまり、出入口のドアを開放することなく建物内空間の換気を行うことができる好適な構成を実現したことになる。
【０００８】
なお、スラットが閉鎖状態と開放状態とに移行する構成としては、回動軸がスラットの長手方向に延びる状態でスラットの両端部が通気口形成部に対して回動可能に軸支されている構成が挙げられる。この構成により、開放状態にある複数のスラットにより通気口が細分化される構成を実現できる。
【０００９】
第２の発明では、前記通気口は前記ドア又はドア側方において上下方向に延びる長手状に形成され、前記複数のスラットは一部のスラットが開放された部分開放形態となることが可能である。
【００１０】
第２の発明によれば、ドア又はドア側方に上下方向に延びる通気口において、全てのスラットが一様に開放状態又は閉鎖状態となるのではなく、部分的に開閉することが可能となる。したがって、複数のスラットが部分開放形態にある場合、通気口の上下方向において不審者の手が届きにくい位置のスラットのみを開放状態とすることができる。この結果、通気口にて通気を行う際に、通気性確保と防犯性確保との両方を実現することができる。
【００１１】
なお、前記複数のスラットは、前記通気口の長手方向に沿って複数のスラット群に区分され、そのスラット群ごとに開閉されて部分開放形態となることが可能である構成としてもよい。この構成によれば、不審者の手が届きにくい位置のスラット群をまとめて開放状態とすることができるため、通気性確保と防犯性確保との両方の実現が容易となる。
【００１２】
第３の発明では、前記複数のスラットは、前記部分開放形態に加えて、全てのスラットが開放された全開放形態になることが可能であり、前記全開放形態と前記部分開放形態とへの形態切り替えを行う制御手段が備えられている。
【００１３】
全開放形態と部分開放形態とでは、それぞれの通気性と防犯性のバランスが相違している。これに対して、第３の発明によれば、全開放形態と部分開放形態とが適宜切り替えられるため、通気性が重視される場合と防犯性が重視される場合とでそれぞれに適したスラットの開閉制御を実施できる。
【００１４】
第４の発明では、前記通気口は、前記ドアの回動先端側の縁部に沿ってドア上端部からドア下端部に延びるように前記ドア又は同ドア周辺に設けられており、前記制御手段は、前記複数のスラットを前記部分開放形態に切り替える場合に、前記ドアの回動先端側に設けられた施錠装置付近に位置する第１スラット群と、該第１スラット群の上方及び下方に位置する第２スラット群とのうち、前記第１スラット群を閉鎖状態にする。
【００１５】
第４の発明によれば、通気調整装置が部分開放形態にある場合、施錠装置付近の第１スラット群は閉鎖状態にある。ここで、施錠装置までの離間距離は第１スラット群に比べて第２スラット群の方が大きいため、第２スラット群が開放状態にある場合、第１スラット群が開放状態にある場合に比べて、不審者が手や棒などを差し込んで施錠装置を解錠することを困難なものとすることができる。つまり、第１スラット群を閉鎖状態とすることで部分開放形態において防犯性能を高めることができる。
【００１６】
第５の発明では、前記出入口の屋外側周辺に人がいるか否かを判定する手段を備え、前記制御手段は、前記出入口の屋外側周辺に人がいると判定された場合に、前記複数のスラットを前記部分開放形態に切り替える。
【００１７】
出入口の屋外側周辺に不審者がいる場合に第１スラット群が開放状態にあると、第１スラット群におけるスラットの間の隙間から手や棒などを差し込んだ不審者により施錠装置が屋内側から解錠されるおそれがある。この点、第５の発明によれば、不審者が出入口の屋外側周辺にいる場合に第１スラット群が閉鎖状態とされているため、不審者により施錠装置が屋内側から解錠されることに対して抑止力を発揮できる。
【００１８】
第６の発明では、前記ドアの屋内側には、前記ドアを開放可能とする非施錠状態と前記ドアを開放不可とする施錠状態とのいずれかに切り替え操作されるドアガードが設けられており、前記ドアガードが施錠状態及び非施錠状態のいずれであるかを判定する手段を備え、前記制御手段は、前記ドアガードが非施錠状態にあると判定された場合に前記第１スラット群を閉鎖状態とする。
【００１９】
人は屋外側からドアガードを施錠状態に移行させることができないため、建物内に人が不在である場合、ドアガード及び施錠装置のうち施錠装置だけによりドアが施錠されることになる。つまり、人が建物内に不在である場合、人が建物内にいる場合に比べて、ドアの施錠に関する防犯性能が低下するおそれがある。この点、第６の発明によれば、ドアガードが非施錠状態にある場合、すなわち施錠装置だけによりドアが施錠されている場合に、第１スラット群が閉鎖状態とされるため、人が建物内に不在である際においてドアの施錠に関する防犯性能の低下を抑制することができる。
【００２０】
なお、ドアガードとしては、アームによりドアを施錠するアーム式ドアガードや、チェーンによりドアを施錠するチェーン式ドアガードなどが挙げられる。
【００２１】
第７の発明では、前記通気口には、前記複数のスラットの屋内側において前記通気口を閉鎖する閉鎖部材が設けられており、前記閉鎖部材は、前記スラットに対して屋内側に離反する方向に変位可能であり、且つ変位量が変位規制手段により規制されている。
【００２２】
第７の発明によれば、閉鎖部材を複数のスラットに対して屋内側に離反させ且つスラットを開放状態に移行させた場合に、通気口による通気が行われる。この場合、閉鎖部材の変位量が変位規制手段により規制されることで閉鎖部材がいわゆる半開きの状態とされるため、閉鎖部材がスラットの屋内側に存在することになり、不審者がスラットの間の隙間から手や棒を差し入れることが閉鎖部材により阻止される。したがって、通気調整装置が全開放形態又は部分開放形態にある場合に通気口における防犯性能が低下することを抑制できる。
【００２３】
第８の発明では、前記ドア又は同ドア周辺には、前記通気口として、居住空間に通じている第１通気部と、前記出入口の屋内側に形成された出入口ホールに設置され且つ物品の収納が可能な収納庫に通じている第２通気部とが設けられており、前記複数のスラットは前記第１通気部及び前記第２通気部にそれぞれ設けられている。
【００２４】
第８の発明によれば、第１通気部においてスラットが開放状態にあると居住空間の換気が行われ、第２通気部においてスラットが開放状態にあると収納庫の換気が行われる。この場合、開放状態にあるスラットにより第２通気部が細分化されているため、収納庫の物品が第２通気部を通じて盗まれることを抑制できる。したがって、居住空間及び収納庫の換気を行いつつそれら居住空間及び収納庫の防犯性能が低下することを抑制できる。
【００２５】
なお、出入口ホールとしては玄関ホールが挙げられ、収納庫としては履物収納庫が挙げられる。
【００２６】
第９の発明では、昇降することにより前記通気口を開閉するシャッタカーテンが、前記複数のスラットが並べられて形成されている。
【００２７】
第９の発明によれば、シャッタカーテンを上昇させることにより通気口を開放することができる。この場合、通気口がスラットにより細分化された状態とならないため、通気口の使い勝手を向上させることができる。
【００２８】
第１０の発明では、第１乃至９の発明のいずれかに記載の通気調整装置を備えている建物であって、前記通気口が建物内空間を挟んで窓部とは反対側の外壁に形成されていることを特徴とする。
【００２９】
第１０の発明によれば、通気口と窓部とが建物内空間を挟んで反対側に配置されているため、通気口及び窓部の一方から建物内空間に外気が取り込まれるとともに他方から内気が屋外へ流れ出ることになる。つまり、通気口及び窓部を通じての建物内空間の風通しが良くなる。これにより、建物内空間の換気効率を向上させることができる。
【００３０】
第１１の発明では、第１乃至９の発明のいずれかに記載の通気調整装置を備えており、且つ複数の住戸が横並びに設けられている集合住宅であって、前記通気口は、前記住戸に前記出入口として形成された玄関出入口又はその周辺に形成されていることを特徴とする。
【００３１】
集合住宅の住戸において両隣に他の住戸がそれぞれ配置されており、住戸内空間を挟んで対向する位置に窓部と玄関出入口とが設けられる場合、窓部だけを開放しても住戸内空間の風通しは良くならない。この点、第１１の発明によれば、通気調整装置により玄関出入口又はその周辺において通気が行われるため、玄関出入口を開放させなくても住戸内空間の風通しを良くすることができる。つまり、玄関出入口の防犯性能の低下を抑制しつつ、住戸内空間の換気効率を向上させることができる。
【図面の簡単な説明】
【００３２】
【図１】本実施形態における集合住宅の平面図。
【図２】玄関出入口周辺の構成を示す図。
【図３】窓部周辺の構成を示す図。
【図４】通気制御システムの電気的な構成を示すブロック図。
【図５】通気制御処理の処理手順を示すフローチャート。
【図６】別の玄関出入口周辺の構成を示す図。
【発明を実施するための形態】
【００３３】
以下、本発明を具体化した一実施形態を図面に基づいて説明する。本実施形態では、図１は集合住宅１０の平面図を示す図である。
【００３４】
図１に示すように、建物としての集合住宅１０は住戸２０を複数有しており、それら住戸２０は横並びに配置されている。住戸２０はワンルームタイプの住戸であり、居室２２を有している。居室２２は通路２３を介して玄関２４に通じている。外壁２５において居室２２を挟んで玄関２４とは反対側の部分には窓部２６が形成されており、玄関２４を挟んで居室２２とは反対側の部分には玄関出入口２７が形成されている。この場合、玄関出入口２７は、居室２２や玄関２４を挟んで窓部２６と対向していることになる。また、玄関出入口２７には開き戸タイプの玄関ドア３１が設けられている。なお、玄関ドア３１は引き戸タイプであってもよい。
【００３５】
ここで、居室２２や玄関２４といった住戸２０内の通気を行う場合、窓部２６及び玄関出入口２７を開放してもよいが、これでは窓部２６や玄関出入口２７から不審者等に侵入されるおそれがあり、防犯の観点から見て好ましくない。そこで、本実施形態では、窓部２６や玄関出入口２７からの人の侵入を規制した状態で通気を行うことができるようになっている。
【００３６】
まず、玄関出入口２７側の通気構造について図２を参照しつつ説明する。図２は玄関出入口２７周辺の構成を示す図である。なお、図２においては、（ａ）に玄関出入口２７の側面図を示し、（ｂ）に玄関出入口２７を屋外側から見た斜視図を示す。
【００３７】
図２（ａ）に示すように、玄関２４には玄関ドア３１を支持するドア枠体３２が設けられている。ドア枠体３２は、玄関２４側の外壁２５に対して固定されており、その内周面により玄関出入口２７を形成している。玄関ドア３１にはドアノブ等の取っ手３３とシリンダ錠等の施錠装置３４とが設けられている。取っ手３３及び施錠装置３４は、玄関ドア３１の回動先端側であって上下方向の中央寄りに配置されている。ちなみに、ドア枠体３２は略矩形状に形成されており、下辺部分が床に埋め込まれた状態で設置されている。
【００３８】
玄関ドア３１の屋内面には、玄関ドア３１の開放を規制するドアガードとしてのロック装置３６が設けられている。ロック装置３６は、玄関ドア３１が閉鎖されている状態において玄関ドア３１とドア枠体３２とをチェーンやバーなどの連結部材により屋内側から連結することで玄関ドア３１をロック（施錠）する構成となっている。具体的には、玄関ドア３１に取り付けられたドア側部材と、外壁２５側としてのドア枠体３２に取り付けられた枠体側部材と、それらドア側部材と枠体側部材とを連結するチェーンとを有するチェーンロック装置となっており、ドア側部材は玄関ドア３１の回動先端側であって上下方向の中央寄りに配置されている。ロック装置３６は、玄関ドア３１が閉鎖されていることを条件として人が連結部材による玄関ドア３１とドア枠体３２との連結作業を行うことができるようになっている。したがって、ロック装置３６により玄関ドア３１がロックされている場合、住戸２０内に住人がいることになる。なお、連結部材がチェーンであればチェーン式ドアガードであり、バーであればアーム式ドアガードとなる。
【００３９】
ロック装置３６には、ロック装置３６がロック状態にあること（ロック装置３６が玄関ドア３１を施錠していること）を検出するロックセンサ３９（図４参照）が設けられている。ここで、ロック装置３６がロック状態にあることがロックセンサ３９により検出された場合は、人が住戸２０内にいることになる。
【００４０】
玄関２４には、ドア枠体３２の側方にルーバ装置４１が設けられている。ルーバ装置４１は、玄関ドア３１にとっての袖の位置に且つ玄関ドア３１の回動先端側に配置されている。ルーバ装置４１は、略矩形状のルーバ枠体４２と、ルーバ枠体４２に対して固定されているルーバスラット４３とを有している。
【００４１】
ルーバ枠体４２は、ドア枠体３２と横並びの状態で外壁２５に対して固定されている。ルーバ枠体４２は、その内周面にて玄関通気口４０を形成しており、玄関通気口４０は玄関出入口２７と同様に玄関２４と屋外空間とを連通している。ルーバ枠体４２はドア枠体３２と一体的に形成されており、ルーバ枠体４２において玄関出入口２７と玄関通気口４０との間に存在している縦フレームは、ドア枠体３２において玄関出入口２７と玄関通気口４０との間に存在している縦フレームにより形成されている。この場合、玄関通気口４０は玄関出入口２７と横並びであり、高さ寸法が玄関出入口２７とほぼ同じ寸法（例えば２２０ｃｍ）にされているとともに、幅寸法が玄関出入口２７よりも小さい寸法（例えば４０ｃｍ）にされている。
【００４２】
ルーバ枠体４２において玄関通気口４０には複数のルーバスラット４３が配置されており、それらルーバスラット４３はルーバ枠体４２に対して開閉可能に取り付けられている。具体的には、ルーバスラット４３は、水平方向に延びる細長部材としての羽板であり、上下に並べて複数配置されている。また、軸線が水平方向に延びる状態でルーバ枠体４２に対して回動可能に軸支されており、回動することで開閉する。さらに、開放されることで通気状態に移行し、閉鎖されることで非通気状態に移行する。非通気状態にある場合、ルーバスラット４３の板面は水平方向を向いており、上下に隣接する他のルーバスラット４３との間には隙間が無い又はあっても僅かな状態となっている。一方、通気状態にある場合、ルーバスラット４３の板面は上下方向を向いており、非通気状態にある場合に比べて鉛直方向に対して傾いている。この場合、上下に隣接する他のルーバスラット４３との間には通気用の隙間が形成されている。
【００４３】
ルーバ装置４１は、ルーバスラット４３を開閉させるルーバスラット駆動部４４（図４参照）を有している。ルーバスラット駆動部４４は、電気モータを含んで構成されており、各ルーバスラット４３を個別に開閉させることが可能となっている。なお、ルーバスラット駆動部４４は例えばルーバ枠体４２に内蔵されている。
【００４４】
図２（ｂ）に示すように、玄関通気口４０には、ルーバスラット４３の屋内側において玄関通気口４０を閉鎖する閉鎖部材として内倒し扉４６が設けられている。内倒し扉４６は非透明の板材により形成されている。内倒し扉４６は上下に並べて複数設けられており、各軸線が水平方向に延びる状態でルーバ枠体４２に対してそれぞれ回動可能に軸支されている。内倒し扉４６は下端部が軸支されており、その板面が水平方向を向いた状態で玄関通気口４０を閉鎖し、上端部が屋内側に移動して傾くことで玄関通気口４０を開放する。ここで、内倒し扉４６は屋内側へ傾くことによりルーバスラット４３から離反する方向に変位することになる。
【００４５】
ルーバ枠体４２には、内倒し扉４６の回動量を規制するストッパ４６ａが設けられている。ストッパ４６ａはルーバ枠体４２の屋内面に取り付けられており、内倒し扉４６が所定の角度だけ屋内側へ傾いた場合に内倒し扉４６の屋内側板面に当接し、内倒し扉４６を傾いた状態で保持する。ここで、ストッパ４６ａは、内倒し扉４６の変位量を規制する変位規制手段に相当する。
【００４６】
ルーバ装置４１は、ルーバスラット４３を閉鎖状態（非通気状態）で保持する閉鎖保持構造を有している。閉鎖保持構造は、内倒し扉４６が閉鎖されている場合にルーバスラット４３の開放を規制し、内倒し扉４６が開放されている場合にルーバスラット４３の開放を規制しない。具体的には、内倒し扉４６が閉鎖されている場合は、その内倒し扉４６がルーバスラット４３に干渉（接触）しており、ルーバスラット４３を回動させるスペースが内倒し扉４６とルーバスラット４３との間に確保されていない。一方、内倒し扉４６が開放されている場合は、内倒し扉４６がルーバスラット４３から離間しており、ルーバスラット４３を回動させるスペースが内倒し扉４６とルーバスラット４３との間に確保されている。
【００４７】
なお、内倒し扉４６が閉鎖されている場合にルーバスラット４３の開放を規制し、且つ内倒し扉４６が開放されている場合にルーバスラット４３の開放を規制しないロック部がルーバ装置４１に設けられていてもよい。
【００４８】
内倒し扉４６は、電気モータを含んで構成された内倒し扉駆動部４７（図４参照）の駆動に伴って開閉され、内倒し扉駆動部４７は例えばルーバ枠体４２に内蔵されている。
【００４９】
上記のように、玄関通気口４０においてはルーバ装置４１及び内倒し扉４６が設けられているため、ルーバスラット４３が通気状態にあり且つ内倒し扉４６が開放されている場合に通気が行われる。
【００５０】
次に、窓部２６側の通気構造について図３を参照しつつ説明する。図３は窓部２６周辺の構成を示す図である。なお、図３においては（ａ）に窓部２６の側面図を示し、（ｂ）に窓部２６を屋外側から見た斜視図を示す。
【００５１】
図３（ａ）に示すように、窓部２６には、窓部２６を開閉するサッシ戸装置５１と、窓部２６における通気量を調整するシャッタ装置５２とが設けられている。サッシ戸装置５１は、上下一対のレール部５４に沿って水平方向にスライド移動するサッシ戸５５と、サッシ戸５５をスライド移動させるサッシ戸駆動部５７とを含んで構成されている。ちなみに、サッシ戸駆動部５７は電気モータを含んで構成されている。
【００５２】
図３（ａ），（ｂ）に示すように、シャッタ装置５２は、サッシ戸装置５１の屋外側に配置されており、サッシ戸５５に沿うようにして昇降するシャッタカーテン６２と、シャッタカーテン６２を巻回した状態で収納するシャッタケース６３とを有している。シャッタカーテン６２は、横長形状のシャッタスラット６４を複数有するスラット式シャッタカーテンである。それらシャッタスラット６４は上下に並んでおり、シャッタカーテン６２として一体的にガイドレール６５に沿って上下にスライド移動する。
【００５３】
シャッタスラット６４は、シャッタカーテン６２がシャッタケース６３から繰り出された状態で開閉可能となっている。この場合、水平方向に延びる軸線を中心として回転することで開閉し、それにより通気状態と非通気状態とに移行する。非通気状態にある場合、シャッタスラット６４の板面は水平方向を向いており、上下に隣接する他のシャッタスラット６４との間には隙間が無い又はあっても小さい状態となっている。また、通気状態にある場合、シャッタスラット６４の板面は上下方向を向いており、非通気状態にある場合に比べて鉛直方向に対して傾いている。この場合、上下に隣接する他のシャッタスラット６４との間には通気用の隙間が形成されている。
【００５４】
サッシ戸装置５１は、シャッタカーテン６２を昇降させる巻取駆動部６７と、シャッタスラット６４を開閉させるシャッタスラット駆動部６８とを有している。巻取駆動部６７及びシャッタスラット駆動部６８はそれぞれ電気モータを含んで構成されており、シャッタスラット駆動部６８は、各シャッタスラット６４を個別に開閉させることが可能となっている。
【００５５】
上記のように、窓部２６においてはサッシ戸装置５１及びシャッタ装置５２が設けられているため、サッシ戸５５が開放された状態でシャッタスラット６４が通気状態にある又はシャッタカーテン６２が開放されている場合に通気が行われる。
【００５６】
続いて、住戸２０における通気制御システムに関する電気的な構成について図４を参照しつつ説明する。
【００５７】
図４に示すように、通気制御システムの制御手段としてのコントローラ７１は、ＣＰＵや各種メモリ等からなるマイクロコンピュータを含んで構成されており、例えば居室２２の壁面に取り付けられている。コントローラ７１は、通気制御に関する情報を記憶する記憶部７２と、人により入力操作される操作部７３とを有しており、操作部７３からの入力内容を記憶部７２に記憶させることが可能となっている。
【００５８】
コントローラ７１には、ルーバスラット駆動部４４、内倒し扉駆動部４７、サッシ戸駆動部５７、巻取駆動部６７及びシャッタスラット駆動部６８が接続されており、コントローラ７１は、指令信号を出力することによりこれら駆動部４４，４７，５７，６７，６８の動作制御を行う。
【００５９】
コントローラ７１には、住戸２０内の温度を検出する住戸内温度センサ７５と、外気の温度を検出する屋外温度センサ７６と、住戸２０内の湿度を検出する住戸内湿度センサ７７と、外気湿度を検出する屋外湿度センサ７８と、玄関出入口２７の屋外側周辺に人がいることを検出する屋外人感センサ７９と、ロック装置３６のロックセンサ３９とが接続されており、これらセンサ７５〜７９，３９は検出信号をコントローラ７１に対して出力する。住戸内温度センサ７５及び住戸内湿度センサ７７は例えば居室２２の壁面に取り付けられており、居室２２を対象として温度及び湿度を検出する。屋外温度センサ７６及び屋外湿度センサ７８は例えば外壁２５の屋外側面に対して取り付けられている。屋外人感センサ７９は、玄関出入口２７周辺において外壁２５の屋外側面に対して取り付けられている。
【００６０】
次いで、コントローラ７１において実行される通気制御処理について図５を参照しつつ説明する。通気制御処理は所定周期で繰り返し実行される。
【００６１】
図５において、ステップＳ１１では、各種センサ７５〜７９，３９の検出信号を取得する。ステップＳ１２では、住戸２０内の通気を行うか否かを判定する。ここでは、季節や時間帯に応じてあらかじめ目標温度や目標湿度を設定しておき、住戸内温度センサ７５や住戸内湿度センサ７７により検出された実温度や実湿度が目標温度や目標湿度と同じでなく、且つ外気を取り込むことで実温度や実湿度を目標温度や目標湿度に近づけることができる場合に、通気を行うと判定する。例えば、夏季において住戸２０内の実温度が目標温度より高く且つ外気温度が実温度より低い場合、実温度を下げるために通気を行うと判定する。また、住戸２０内の実湿度が目標湿度より高く且つ外気湿度が実湿度より低い場合、実湿度を下げるために通気を行うと判定する。
【００６２】
住戸２０内の通気を行う場合、ステップＳ１３にて、屋外人感センサ７９の検出信号に基づいて屋外において玄関出入口２７周辺に人がいるか否かを判定し、ステップＳ１４にて住人が住戸２０にて在宅であるか否かを判定する。ここで、在宅であるか否かの判定は、ロックセンサ３９の検出信号に基づいてロック装置３６がロック状態にあるか否かを判定し、ロック装置３６がロック状態にある場合に人が在宅であるとする。
【００６３】
屋外において玄関出入口２７周辺に人が居らず、且つ住人が住戸２０内にいる場合、ステップＳ１５に進み、通気モードで玄関通気口４０の通気を行う。玄関通気口４０を対象とした通気モードでは、内倒し扉４６を開放させるとともに、全開放形態として全てのルーバスラット４３を通気状態に移行させる。これにより、玄関通気口４０において通気量が極力多くされる。ステップＳ１６では、通気モードで窓部２６の通気を行う。窓部２６を対象とした通気モードでは、ここでは、シャッタカーテン６２を閉鎖させ、サッシ戸５５を開放させ、さらに全てのシャッタスラット６４を通気状態に移行させる。これにより、窓部２６において通気量が極力多くされる。つまり、住戸内空間の換気量が極力多くされる。
【００６４】
一方、屋外において玄関出入口２７周辺に人がいる場合、又は住人が住戸２０内にいない場合（ロック装置３６がロック状態にない場合）、ステップＳ１７に進み、防犯モードで玄関通気口４０の通気を行う。玄関通気口４０を対象とした防犯モードでは、内倒し扉４６を開放させるとともに、部分開放形態として一部のルーバスラット４３を通気状態に移行させる。具体的には、玄関通気口４０において上３個のルーバスラット４３を通気状態とする。
【００６５】
ここで、ルーバ装置４１において施錠装置３４の周辺に位置する複数のルーバスラット４３を第１スラット群と称し、第１スラット群の上方及びか方に位置する複数のルーバスラット４３を第２スラット群と称すると、第１スラット群を非通気状態にて保持し、第２スラット群に含まれるルーバスラット４３を通気状態に移行させることになる。この場合、第２スラット群は第１スラット群に比べて施錠装置３４との離間距離が大きくなっており、仮に不審者が第２スラット群においてルーバスラット４３の間の隙間から手や棒を差し込んでも屋内側から施錠装置３４を解錠させることの困難性が高い。また、第２スラット群のうち上部のルーバスラット４３が通気状態にあると、それら通気状態にあるルーバスラット４３の間の隙間から不審者が住戸２０内を覗くことも困難となっている。
【００６６】
ステップＳ１８では、防犯モードで窓部２６の通気を行う。窓部２６を対象とした防犯モードでは、シャッタカーテン６２を閉鎖させ、その後、サッシ戸５５を開放させるとともに一部のシャッタスラット６４を通気状態に移行させる。例えば、窓部２６において上３個のシャッタスラット６４を通気状態とする。これにより、窓部２６において玄関通気口４０と同様に通気を行わせつつ防犯性能を発揮できる。特に、シャッタカーテン６２を閉鎖させてからサッシ戸５５を開放させるため、住人等が不在である時にシャッタカーテン６２及びサッシ戸５５が両方とも開放されているという状況が発生しないため、窓部２６からの不審者の侵入を回避できる。
【００６７】
以上詳述した本実施形態によれば、以下の優れた効果が得られる。
【００６８】
玄関２４において玄関出入口２７と横並びに玄関通気口４０が設けられているため、ルーバスラット４３を通気状態に移行させることにより玄関ドア３１を開放させることなく玄関２４での通気を行うことが可能となる。しかも、ルーバスラット４３が通気状態であっても玄関通気口４０はルーバスラット４３により細分化されているため、不審者が玄関通気口４０から住戸２０内に侵入することはもちろんのこと、不審者が玄関通気口４０から手や棒などを差し込むことを規制できる。この場合、玄関通気口４０を開閉する機能と玄関通気口４０の防犯性能を高める機能という２つの機能をルーバスラット４３が有していることになる。つまり、玄関出入口２７の玄関ドア３１を開放することなく住戸空間の換気を行うことができる好適な構成を実現したことになる。
【００６９】
ルーバ装置４１の動作制御について、通気モードにある場合は全てのルーバスラット４３が通気状態にあり、防犯モードにある場合は一部のルーバスラット４３が通気状態にあるため、通気モードにおける通気性を防犯モードに比べて高くすることができるとともに、防犯モードにおける防犯性を通気モードに比べて高くすることができる。つまり、通気モードと防犯モードとで通気性と防犯性とのバランスが相違しているため、その都度の状況に合わせて通気モードと防犯モードとを適宜切り替えることにより、玄関通気口４０における通気量を確保しつつ防犯性能が低下することを抑制できる。
【００７０】
住人等が住戸２０内に不在である場合や不審者が屋外において玄関出入口２７周辺にいる場合、防犯モードとしてルーバ装置４１の上部のルーバスラット４３が通気状態に移行されて通気が行われる。この場合、施錠装置３４付近のルーバスラット４３（第１スラット群）を通気状態に移行させた場合に比べて、玄関通気口４０の開放部分と玄関ドア３１の施錠装置３４との離間距離が大きくなり、不審者が通気状態にあるルーバスラット４３間の隙間から手や棒を差し込んでも施錠装置３４を解錠することが困難になっている。また、そもそも上部のルーバスラット４３は不審者の手が届きにくい位置にあるため、不審者がルーバスラット４３の間から手や棒を差し込むこと自体が困難になっている。さらに、ルーバスラット４３の状態が切り替えられることにより玄関出入口２７周辺にいる不審者を威嚇することができる。以上の結果、玄関出入口２７や玄関通気口４０の防犯性能をより一層高めることができる。
【００７１】
住人等が在宅であり且つ屋外において玄関出入口２７周辺に人がいない場合、通気モードとしてルーバ装置４１の全てのルーバスラット４３が通気状態に移行されて通気が行われる。この場合、防犯モードに比べて玄関通気口４０における通気量が増加するため、居室２２や玄関２４の換気を効率良く行うことができる。
【００７２】
玄関通気口４０において通気が行われる場合、ルーバスラット４３が通気状態に移行されるとともに、内倒し扉４６が開放される。この場合、内倒し扉４６はルーバスラット４３の屋内側にて斜めに起立している。つまり、ルーバスラット４３の屋内側にて屋外空間と居住内空間とを仕切る状態となっている。したがって、不審者が屋外側からルーバスラット４３の間の隙間から手や棒などを差し込んでも、内倒し扉４６が支障となってそれら手や棒などを内倒し扉４６よりも屋内側へ入れ込むことが困難になっている。
【００７３】
内倒し扉４６が非透明の板材により形成されているため、ルーバスラット４３が通気状態にあっても内倒し扉４６により屋外側から住戸２０内への視界を遮ることができる。つまり、住戸内空間が覗かれることを抑制できる。また、太陽光などの外光を遮ることが可能であるため、昼間において玄関２４への採光量を好適に調整することができる。
【００７４】
住戸２０内に人がいる場合、施錠装置３４及びロック装置３６の両方により玄関ドア３１を施錠することにより屋外側からの玄関ドア３１の開放に対して抑止力を高めることができる。これに対して、住戸２０内に人がいない場合、ロック装置３６をロック状態に移行させることができないため、施錠装置３４だけにより玄関ドア３１を施錠することになり、住戸２０内に人がいる場合に比べて玄関ドア３１の施錠に関する防犯性能が低下するおそれがある。これに対して、人が住戸２０内にいない場合、すなわち施錠装置３４だけにより玄関ドア３１が施錠されている場合、防犯モードで玄関通気口４０の通気が行われる。この場合、施錠装置３４付近のルーバスラット４３は閉鎖されているため、住戸内空間の通気を行いつつ玄関ドア３１の施錠に関する防犯性能が低下することを抑制できる。
【００７５】
住戸２０において、窓部２６と玄関通気口４０とは居室２２や玄関２４といった住戸内空間を挟んで対向しているため、それら窓部２６及び玄関通気口４０にて通気を行わせることにより、住戸内空間の風通しが良くなり換気効率を高めることができる。ここで、複数の住戸２０が横並びに配置され、２つの住戸２０の間に配置されている住戸２０においては、隣り合う住戸２０との間の壁からは通気を行うことができないため、玄関２４側にて通気が行われなければ窓部２６にて通気を行っても住戸内空間の風通しが良くならない。したがって、住戸内空間を挟んで対向する窓部２６と玄関通気口４０とにおいて通気を行うことは、集合住宅１０の住戸２０にとって効果的である。
【００７６】
（他の実施形態）
本発明は上記実施形態の記載内容に限定されず、例えば次のように実施してもよい。
【００７７】
（１）玄関通気口４０は、玄関出入口２７の周辺にて外壁２５に形成されていればよい。例えば、玄関出入口２７の側方において玄関ドア３１の回動先端側でなく回動基端側に玄関通気口４０が形成されている構成とする。この場合、玄関ドア３１の回動先端側に設けられた施錠装置３４やロック装置３６と玄関通気口４０との離間距離を、玄関通気口４０が回動先端側に配置されている場合に比べて大きくなるため、不審者が屋外側から玄関通気口４０の開放部分（通気状態にあるルーバスラット４３の間の隙間）から手や棒を差し込んで施錠装置３４を解錠することやロック装置３６のロック状態を解除することがより一層困難なものとなる。つまり、玄関出入口２７や玄関通気口４０における防犯性能を高めることができる。
【００７８】
また、玄関出入口２７の側方ではなく上方や下方に玄関通気口４０が形成されている構成としてもよい。
【００７９】
（２）通気口はドア周辺に設けられているのではなく、ドアに設けられていてもよい。例えば、図６（ａ）に示すように、玄関ドア３１の上部にルーバ装置８１が設けられている構成とする。この構成において、ルーバ装置８１はルーバ枠体８２とルーバスラット８３とを有しており、ルーバ枠体８２の内周面により玄関通気口８０が形成されている。また、図６（ｂ）に示すように、玄関ドア３１のほぼ全体にルーバ装置９１が設けられている構成とする。この構成において、ルーバ装置９１はルーバ枠体９２とルーバスラット９３とを有しており、ルーバ枠体９２の内周面により玄関通気口９０が形成されている。
【００８０】
玄関ドア３１に玄関通気口８０，９０が設けられている場合、ルーバ装置８１，９１を外壁２５に対して取り付ける必要がなく、工場において玄関ドア３１にルーバ装置８１，９１を取り付けておけばよいため、玄関ドア３１とルーバ装置８１，９１とを一体化したユニットとしてまとめて建築現場へ運搬できる。しかも、ルーバ装置８１，９１を外壁２５に対して取り付ける場合に比べて建築現場での施工作業の負担を低減することができる。
【００８１】
（３）ルーバ装置４１は、防犯モードにある場合に部分開放形態として第２スラット群の全てのルーバスラット４３を通気状態としてもよい。つまり、施錠装置３４近傍より上方及び下方にあるルーバスラット４３を通気状態としてもよい。この場合でも、第１スラット群のルーバスラット４３が通気状態にある場合に比べて玄関通気口４０での防犯性能の低下を抑制しつつ、通気量を極力大きくすることができる。
【００８２】
（４）ルーバ装置４１において、ルーバスラット４３が鉛直方向に延びる縦長部材であって左右に並んで配置されていてもよい。この場合でも、ルーバスラット４３がルーバ枠体４２に対して両端部が軸支されていれば、ルーバスラット４３は通気状態で玄関通気口４０を細分化することになるため、不審者が玄関通気口４０から侵入することや手などを差し込むことを規制できる。
【００８３】
（５）玄関通気口４０には、ルーバ装置４１ではなくシャッタ装置５２が設けられていてもよい。この構成においては、シャッタ装置は、開閉可能なシャッタスラットを複数有するシャッタカーテンと、シャッタカーテンを収納するシャッタケースと、シャッタスラットを開閉させるシャッタスラット駆動部と、シャッタカーテンを昇降させるカーテン駆動部とを備えている。この構成によれば、シャッタカーテンを開放状態とすることにより玄関通気口４０の全体が開放されるため、玄関通気口４０における通気量を極力増加させることや、物品の出し入れが可能となるなど玄関通気口４０の使い勝手を向上させることができる。
【００８４】
（６）玄関通気口４０は玄関２４などの建物内空間に通じているのではなく、物品の収納が可能な収納庫に通じていてもよい。例えば、玄関２４において玄関通気口４０の屋内側に下駄箱が設置されており、その下駄箱に形成された開口部が玄関通気口４０の少なくとも一部に通じている構成とする。この場合、玄関通気口４０のうち下駄箱に通じる部分のルーバスラット４３を通気状態とすることにより下駄箱内の通気を行うことが可能となる。また、下駄箱に形成された履物の出し入れ口を開放させることにより、下駄箱を通じて玄関２４や居室２２の換気を玄関通気口４０により行うことができる。なお、収納庫としては、下駄箱の他に食品が収納される食品収納庫などが挙げられる。
【００８５】
（７）玄関通気口４０には、内倒し扉４６ではなく、引き戸タイプの閉鎖部材や屋内側へスライド移動する閉鎖部材などが設けられていてもよい。特に、屋内側へスライド移動する閉鎖部材が設けられている場合、その閉鎖部材は玄関通気口４０から屋内側へ離間することにより開放状態に移行し、その状態においてルーバスラット４３の屋内側に存在している構成とすることが好ましい。この構成によれば、玄関通気口４０から不審者により手や棒などが差し込まれることを規制できる。
【００８６】
（８）上記実施形態では、玄関出入口２７の周辺に通気口としての玄関通気口４０が形成されている構成としたが、裏口や勝手口などの出入口又は出入口周辺に通気口が形成されている構成としてもよい。この場合でも、出入口周辺の通気を好適に行うことができる。
【００８７】
（９）玄関出入口２７を形成する玄関出入口形成部としてのドア枠体３２と、玄関通気口４０を形成する通気口形成部としてのルーバ枠体４２とは、一体的に形成されておらずに離間して設けられていてもよい。
【００８８】
（１０）集合住宅１０において、住戸２０は共用通路を挟んで玄関出入口２７又は窓部２６同士が対向するように向かい合わせて配置されていてもよい。この場合、向かい合っている住戸２０の各玄関通気口４０や各窓部２６の通気を同時に行わせることにより、それら住戸２０や共用通路の風通しを良くすることができる。
【００８９】
（１１）玄関通気口４０が形成される建物は、集合住宅１０ではなく一戸建ての住宅であってもよい。
【符号の説明】
【００９０】
１０…建物としての集合住宅、２０…建物内空間を構成する住戸、２２…建物内空間としての居室、２３…建物内空間としての通路、２４…建物内空間としての玄関、２５…外壁、２６…窓部、２７…出入口としての玄関出入口、３１…ドアとしての玄関ドア、３４…施錠装置、３６…ドアガードとしてのロック装置、４０…通気口としての玄関通気口、４１…通気調整装置としてのルーバ装置、４３…スラットとしてのルーバスラット、４６…閉鎖部材としての内倒し扉、７１…制御手段としてのコントローラ。
【図１】
2011089317.tif 000003
【図２】
2011089317.tif 000004
【図３】
2011089317.tif 000005
【図４】
2011089317.tif 000006
【図５】
2011089317.tif 000007
【図６】
2011089317.tif 000008